(57)【特許請求の範囲】
【請求項１】
凹部と該凹部内に設けられた一対の突起と該突起と対向する孔とを有するケースと、該ケースの前記凹部内に収容され、前記突起に揺動、又は上下動可能に設けられた可動ノブと、該可動ノブによって駆動される弾性体に設けた可動接点を固定接点に接離させるようにしたスイッチと、前記可動ノブを照光するための光源を有する基板とを備え、前記弾性体に前記光源からの光が前記ケースの前記孔を通過するのを防止するための遮光部材が設けられていることを特徴とする照光式スイッチユニット。
【請求項２】
前記遮光部材は、前記孔の一方の端部を塞ぐように前記ケースに当接されていることを特徴とする請求項１記載の照光式スイッチユニット。
【請求項３】
前記遮光部材が、不透光性材料から成り、且つ、前記弾性体が、透光性材料から成り、前記遮光部材と前記弾性体とは、一体に設けられていることを特徴とする請求項１、又は２記載の照光式スイッチユニット。
【請求項４】
前記ケースの前記凹部の底壁には、該底壁から前記凹部内に延び、前記光源からの光を一方向に導く光漏れ防止用の遮蔽壁が設けられていることを特徴とする請求項１、２、又は３記載の照光式スイッチユニット。
【請求項５】
前記ケースの前記突起が、前記凹部の側壁、又は前記遮蔽壁に設けられ、前記可動ノブが、前記側壁と前記遮蔽壁との間で前記突起に軸支されていることを特徴とする請求項４記載の照光式スイッチユニット。
【請求項６】
前記弾性体の外周部には、前記基板をガイドするガイド部が設けられ、該ガイド部に合わせて前記基板を前記弾性体に、はめ合わせていることを特徴とする請求項１記載の照光式スイッチユニット。
【発明の詳細な説明】
【０００１】
【発明の属する技術分野】
本発明は、照光式スイッチユニットに関し、特に、自動車のハンドル部に並設され、クルーズコントロールの速度設定用や、ラジオ受信機などの音量制御用に用いて好適な照光式スイッチユニットに関する。
【０００２】
【従来の技術】
近年、自動車は電子化が進み、そして、この電子化に伴う各種の制御を自動車のハンドル部に並設されている各種のファンクションが各種スイッチにて行えるように構成されている。このハンドル部は、図５に示すように、例えば、エアーバックシステムのエアーバックが収納されたセンターパッド２０と、照光式スイッチユニット部２１と、照光式スイッチユニット部２１を支持する支持部２４と、照光式スイッチユニット部２１と支持部２４とによって支持されたステアリングハンドル２９とを有している。
【０００３】
そして、この照光式スイッチユニット部２１は、例えば、クルーズコントロール（速度制御機構）のオンとオフなどを切り替える第１の照光式スイッチユニット部２２と、例えば、ラジオ受信機と自動車電話機などを切り替える第２の照光式スイッチユニット部２３とを有している。
【０００４】
また、第１の照光式スイッチユニット部２２は、揺動押圧型の第１揺動ノブ２５ａを有する第１の照光式揺動スイッチユニット２５と、複数個（例えば、２個）の垂直押圧型の第１押釦部２６ａを有する第１の照光式スイッチユニット２６とを備えている。
そして、２個の第１押釦部２６ａによって、例えば、クルーズコントロールのオンとオフと、クルーズコントロールにて設定した速度の確定制御とを行い、また、第１揺動ノブ２５ａによって、設定しようとする速度の調整（速度アップ、又は速度ダウン）を行うように構成されている。
【０００５】
また、第２の照光式スイッチユニット部２３は、揺動押圧型の第２揺動ノブ２７ａを有する第２の照光式揺動スイッチユニット２７と、複数個（例えば、４個）の垂直押圧型の第２押釦部２８ａを有する第２の照光式スイッチユニット２８とを備えている。
そして、４個の第２押釦部２８ａによって、例えば、ラジオ受信機と自動車電話機との切り替えや、ラジオ受信機の受信周波数の調整のための受信周波数のアップ、又はダウンを行い、また、第２揺動ノブ２７ａによって、例えば、ラジオ受信機の音量の増加と減少とを行うように構成されている。
【０００６】
次に、前述の従来の第１の照光式揺動スイッチユニットについて図面を用いて詳細に説明する。
図６は、従来の照光式揺動スイッチユニット部を示す分解斜視図、図７は、従来の照光式揺動スイッチユニットのケースを示す要部斜視図、図８は、従来の照光式揺動スイッチユニットの可動接点と弾性体とプリント配線基板と光源とを示す分解斜視図、図９は、従来の照光式揺動スイッチユニットを説明するための要部断面図である。
【０００７】
図６〜図９に示すように、従来の第１の照光式揺動スイッチユニットのケース１は、例えば、フェノール樹脂やエポキシ樹脂などの合成樹脂材料から成り、成形加工され、上壁１ａと、上壁１ａの所定の位置に設けられ、上下方向の開口部１ｂ、１ｃ（図７参照）を有する略矩形の凹部１ｄとを有している。また、凹部１ｄには、四方を囲む側壁１ｉ、１ｊと、下方向の開口部１ｃの周囲を囲む底壁１ｅと、底壁１ｅに設けられた一対の孔１ｇと、それぞれの孔１ｇの上方に設けられた円柱状の一対の突起１ｈとが設けられている。この各突起１ｈは、凹部１ｄの側壁１ｉから内側（凹部１ｄの略中心部方向）に向かって突出されている。
【０００８】
また、一対の前記孔１ｇは、凹部１ｄ内の一対の前記突起１ｈを形成するためにケース１を成形するための成形金型構造から必然的に形成される構成であり、いわゆる、型抜きのために形成される。
【０００９】
そして、また、このケース１は、図５に示す、照光式スイッチユニット部２１のケースと同一のものであって、例えば、自動車のステアリングハンドル２９に併設されており、センターパッド２０と一体化されており、ステアリングハンドル２９の回動に合わせてケース１が一緒に回動されるように構成されている。
【００１０】
また、図６に示すように、可動ノブとしての揺動ノブ２は、例えば、フェノール樹脂やエポキシ樹脂などの合成樹脂材料から成り、成形加工され、略箱形であって、略矩形の上面部２ｃと、上面部２ｃの外周から下方に延設され、四方を囲む側面部２ｄと、一方の対向する側面部２ｄに設けられた一対の円形の孔２ｅと、上面部２ｃの裏面側から外方に突設された一対の駆動部（図示せず）とを有している。この上面部２ｃには、第１押圧部２ａと第２押圧部２ｂとが形成されている。また、一対の駆動部（図示せず）は、それぞれ第１押圧部２ａと第２押圧部２ｂの裏面側から外方（略箱形の内部に）に突設されている。
【００１１】
また、第１押圧部２ａと第２押圧部２ｂとの表面には、例えば、＋（プラス）の記号表示や−（マイナス）の記号表示などが半透明、又は光を透過（透明）する合成樹脂材料（例えば、いわゆる二色成形加工など）にて絵記号表示部２ｇが形成されている。そして、この＋（プラス）、−（マイナス）などの絵記号表示部２ｇは、後述する光源５からの照光によって、明るく表示されるように構成されている。
【００１２】
この揺動ノブ２は、ケース１の凹部１ｄ内に配置されると共に、揺動ノブ２の孔２ｅにケース１の突起１ｈが挿通されて揺動可能に軸支されて配置されている。この状態で、上面部２ｃの第１押圧部２ａ、又は第２押圧部２ｂを押圧することによって揺動ノブ２は、揺動し、この揺動にて駆動部（図示せず）が上下方向に移動される。
また、この状態のとき、揺動ノブ２の側面部２ｄの下端面と、ケース１の孔１ｇとは対向して配置され、且つ、側面部２ｄと側壁１ｉとの間には、僅かな隙間ｌ１（図９参照）が形成されている。
【００１３】
スライダー３は、例えば、フェノール樹脂やエポキシ樹脂などの合成樹脂材料から成り、成形加工され、略箱形の本体部３ａと、本体部３ａから外方に突出した一対の駆動部３ｂとを備えている。このスライダー３は、揺動ノブ２の各駆動部（図示せず）に各本体部３ａが当接した状態で、ケース１に適宜手段にて取り付けられている。
【００１４】
また、この各スライダー３は、揺動ノブ２の揺動によって、本体部３ａが押圧され、この押圧で各駆動部３ｂが、矢印Ｂ方向（図６参照）に駆動される。
【００１５】
可動接点４は、例えば、ゴムなどの弾性材料から成り、成形加工され、複数個（例えば、４個）の円柱状の可動部４ａと、可動部４ａの下面に設けられた接点部４ｂと、可動部４ａの下端外周から外方に突設された略ドーム状の支持部４ｃとを有している。この可動接点４は、ケース１の開口部１ｃ内に配置されており、この状態のとき、可動部４ａは、スライダー３の駆動部３ｂと対向・当接して配置されている。
【００１６】
そして、この可動接点４は、揺動ノブ２の駆動部（図示せず）の矢印Ｂ方向への移動によって、駆動部（図示せず）がスライダー３を押圧し、よって、このスライダー３を介して可動接点４の各接点部４ｂが矢印Ｂ方向（図６参照）に駆動される。また、この可動接点４は、例えば、２個を１組として２組（合計４個）形成されている。
【００１７】
弾性体７は、例えば、ゴムなどの透明、又は半透明な弾性材料から成り、略平板状に成形加工され、光源６を収納する複数個（例えば、２個）の略矩形・箱形の上壁７ｂを有する収納部７ａを備えている。また、収納部７ａは、弾性体７から外方に突出した状態に形成されている。また、上壁７ｂは、透明な弾性材料にて形成されている。この弾性体７は、可動接点４と一体に形成されており、このとき、収納部７ａは、１組（２個）の可動接点４に挟まれた状態で配置されている。
【００１８】
また、図８に示すように、プリント配線基板５は、例えば、平板状のガラス入りフェノール樹脂材料などから成り、一方の表面には、複数組（例えば、４組）の一対の固定接点５ａ、５ａと、例えば、発光ダイオード（ＬＥＤ）などの光源６が接続される端子５ｂと、固定接点５ａや端子５ｂと接続された所定の回路パターン（図示せず）とを有している。
【００１９】
また、各固定接点５ａは、光源６を挟んだ状態に設けられている。そして、光源６は、プリント配線基板５の端子５ｂに接続され、プリント配線基板５上の図示していない所定の形状の配線パターンに接続・配置されている。
【００２０】
また、この光源６は、図示していない電源からの電流によって、点灯され、この点灯によって、前記揺動ノブ２を裏面側から照射して、揺動ノブ２の配置された位置を明るく表示すると共に、第１押圧部２ａと第２押圧部２ｂとに形成された絵記号表示部２ｇを明るく表示するように配置されている。これによって、例えば、夜間など暗い状況においても揺動ノブ２の位置が分かり、よって、揺動ノブ２の操作を容易に行うことが出来る。
【００２１】
そして、また、前記弾性体７は、プリント配線基板５上に接着されており、この状態のとき、プリント配線基板５の光源６は、弾性体７の収納部７ａに収納されており、一対の固定接点５ａは、可動接点４の接点部４ｂと対向する配置となっている。即ち、可動接点４と固定接点５ａとを接離させることでスイッチが形成されている。
【００２２】
そして、このプリント配線基板５上に接着された弾性体７は、プリント配線基板５と共に、ケース１内に配置され、この状態のとき、ケース１の孔１ｇは、貫通された状態で配置され、よって、開放されている。
【００２３】
保持基板８は、例えば、フェノール樹脂やエポキシ樹脂などの合成樹脂材料から成り、略平板状に成形加工され、保持基板８の外縁部には、複数個（例えば、４個）孔８ａが形成され、また、一方の表面には、複数個の円柱状の支柱（図示せず）を有している。また、この保持基板８上には、プリント配線基板５が支柱（図示せず）に係止されて、保持基板８上に保持されている。
【００２４】
そして、プリント配線基板５と弾性体７とが保持されたこの保持基板８は、ケース１の開口部１ｃ方向から、ケース１内に配置され、例えば、ネジ９などを保持基板８の孔８ａに挿通した状態で、ケース１と保持基板８とをネジ９などで一体化する。この一体化によって、照光式揺動スイッチユニットが形成される。
【００２５】
次に、この照光式揺動スイッチユニットの動作について説明する。
この照光式揺動スイッチユニットは、揺動ノブ２の第１押圧部２ａ、又は第２押圧部２ｂを下方に押圧すると、揺動ノブ２の駆動部（図示せず）が、スライダー３の駆動部３ｂを介して、可動接点４の可動部４ａを下方（図６の矢印Ｂ方向）に押圧する。可動部４ａが下方に押圧されると可動部４ａの下面に設けられた接点部４ｂがプリント配線基板５の一対の固定接点５ａ、５ａに当接される。この固定接点５ａ、５ａへの当接によって、一対の固定接点５ａ、５ａは、接点部４ｂを介して導通されて照光式揺動スイッチユニットは、オンの状態となる。
【００２６】
また、この照光式揺動スイッチユニットは、図示していない自動車のヘッドライトを点灯すると同時に、照光式揺動スイッチユニットの光源６が点灯し、この光源６からの光が揺動ノブ２の第１押圧部２ａと第２押圧部２ｂとの裏面側に照光されて第１押圧部２ａと第２押圧部２ｂとの絵記号表示部２ｇが光るように構成されている。
【００２７】
【発明が解決しようとする課題】
しかしながら、従来の照光式揺動スイッチユニットでは、揺動ノブ２（可動ノブ）の絵記号表示部２ｇを裏面側から照光する光源６からの光が、弾性体７の収納部７ａの上壁７ｂを通過して、揺動ノブ２の第１押圧部２ａと第２押圧部２ｂとを裏面側から照射するが、このとき、光源６からの光は、ケース１の孔１ｇを通過して、更に、この光は、ケース１の側壁１ｉと揺動ノブ２の側面部２ｄとの間に形成された隙間ｌ１から照光式揺動スイッチユニットの外方に漏れるという問題がある。また、この隙間ｌ１からの光は、自動車の運転者にとって、直接光と成ることから眩しく感じることがあり、問題である。
【００２８】
本発明は、以上の問題を解決するためのもので、その目的は、ケース１の側壁１ｉと揺動ノブ２（可動ノブ）の側面部２ｄとの間に形成された隙間ｌ１から光が漏れることの無い照光式スイッチユニットを提供することである。
【００２９】
【課題を解決するための手段】
本発明の照光式スイッチユニットは、凹部と該凹部内に設けられた一対の突起と該突起と対向する孔とを有するケースと、該ケースの凹部内に収容され、突起に揺動、又は上下動可能に設けられた可動ノブと、該可動ノブによって駆動される弾性体に設けた可動接点を固定接点に接離させるようにしたスイッチと、可動ノブを照光するための光源を有する基板とを備え、弾性体に光源からの光がケースの孔を通過するのを防止するための遮光部材が設けられていることである。
【００３０】
また、本発明の照光式スイッチユニットは、遮光部材は、孔の一方の端部を塞ぐようにケースに当接されていることである。
【００３１】
また、本発明の照光式スイッチユニットは、遮光部材が、不透光性材料から成り、且つ、弾性体が、透光性材料から成り、遮光部材と弾性体とは、一体に設けられていることである。
【００３２】
また、本発明の照光式スイッチユニットは、ケースの凹部の底壁には、該底壁から凹部内に延び、光源からの光を一方向に導く光漏れ防止用の遮蔽壁が設けられていることである。
【００３３】
また、本発明の照光式スイッチユニットは、ケースの突起が、凹部の側壁、又は遮蔽壁に設けられ、可動ノブが、側壁と遮蔽壁との間で突起に軸支されていることである。
【００３４】
また、本発明の照光式スイッチユニットは、弾性体の外周部には、基板をガイドするガイド部が設けられ、該ガイド部に合わせて基板を弾性体にはめ合わせていることである。
【００３５】
【発明の実施の形態】
ここで、以下に、本発明の実施の形態としての第１の照光式揺動スイッチユニットについて図面を用いて詳細に説明する。
図１は、本発明の実施の形態としての照光式揺動スイッチユニット部を示す分解斜視図、図２は、本発明の実施の形態としての照光式揺動スイッチユニットのケースを示す要部斜視図、図３は、本発明の実施の形態としての照光式揺動スイッチユニットの可動接点と弾性体とプリント配線基板と光源とを示す分解斜視図、図４は、本発明の実施の形態としての照光式揺動スイッチユニットを説明するための要部断面図である。
【００３６】
図１〜図４に示すように、本発明の実施の形態としての第１の照光式揺動スイッチユニットのケース１は、例えば、フェノール樹脂やエポキシ樹脂などの合成樹脂材料から成り、成形加工され、上壁１ａと、上壁１ａの所定の位置に設けられ、上下方向の開口部１ｂ、１ｃ（図２参照）を有する略矩形の凹部１ｄとを有している。また、凹部１ｄには、四方を囲む側壁１ｉ、１ｊと、下方向の開口部１ｃの周囲を囲む底壁１ｅと、開口部１ｃの外縁から上方に突設された略矩形で筒状の遮蔽壁１ｆと、底壁１ｅに設けられた一対の孔１ｇと、それぞれの孔１ｇの上方に設けられた円柱状の一対の突起１ｈとが設けられている。この各突起１ｈは、凹部１ｄの側壁１ｉから内側（凹部１ｄの略中心部方向）に向かって突出されている。
【００３７】
また、一対の前記孔１ｇは、凹部１ｄ内の一対の前記突起１ｈを形成するためにケース１を成形するための成形金型構造から必然的に形成される構成であり、いわゆる、型抜きのために形成される。
【００３８】
そして、このケース１は、図５に示す、照光式スイッチユニット部２１のケースと同一のものであって、例えば、自動車のステアリングハンドル２９に並設されており、センターパッド２０と一体化されており、ステアリングハンドル２９の回動に合わせてケース１が一緒に回動されるように構成されている。
【００３９】
また、図６に示すように、可動ノブとしての揺動ノブ２は、例えば、フェノール樹脂やエポキシ樹脂などの合成樹脂材料から成り、成形加工され、略箱形であって、略矩形の上面部２ｃと、上面部２ｃの外周から下方に延設され、四方を囲む側面部２ｄと、一方の対向する側面部２ｄに設けられた一対の円形の孔２ｅと、上面部２ｃの裏面側から外方に突設された一対の駆動部（図示せず）とを有している。この上面部２ｃには、第１押圧部２ａと第２押圧部２ｂとが形成されている。また、一対の駆動部（図示せず）は、それぞれ第１押圧部２ａと第２押圧部２ｂとの裏面側から外方（略箱形の内部に）に突設されている。
【００４０】
また、第１押圧部２ａと第２押圧部２ｂとの表面には、例えば、＋（プラス）の記号表示や−（マイナス）の記号表示などが半透明、又は光を透過（透明）する合成樹脂材料（例えば、いわゆる二色成形加工など）にて絵記号表示部２ｇが形成されている。そして、この＋（プラス）、−（マイナス）などの絵記号表示部２ｇは、後述する光源６からの照光によって、明るく表示されるように構成されている。
【００４１】
この揺動ノブ２（可動ノブ）は、ケース１の凹部１ｄ内に配置されると共に、揺動ノブ２の孔２ｅにケース１の突起１ｈが挿通されて揺動可能に軸支されて配置されている。
この状態のとき、揺動ノブ２は、ケース１の側壁１ｉと遮蔽壁１ｆとの間で突起１ｈに軸支されている。この状態で、上面部２ｃの第１押圧部２ａ、又は第２押圧部２ｂを押圧することによって揺動ノブ２は、揺動し、この揺動にて駆動部（図示せず）が上下方向に移動される。
【００４２】
また、この状態のとき、揺動ノブ２の側面部２ｄの下端面と、ケース１の孔１ｇとは対向して配置され、且つ、側面部２ｄと側壁１ｉとの間には、僅かな隙間ｌ１（図４参照）が形成されている。
【００４３】
スライダー３は、例えば、フェノール樹脂やエポキシ樹脂などの透明な合成樹脂材料から成り、成形加工され、略箱形の本体部３ａと、本体部３ａから外方に突出した一対の駆動部３ｂとを備えている。このスライダー３は、揺動ノブ２の各駆動部（図示せず）に各本体部３ａが当接した状態で、ケース１に適宜手段にて取り付けられている。
【００４４】
また、この各スライダー３は、揺動ノブ２の揺動によって、本体部３ａが押圧され、この押圧で各駆動部３ｂが、矢印Ｂ方向（図１参照）に駆動される。
【００４５】
可動接点４は、例えば、ゴムなどの弾性材料から成り、成形加工され、複数個（例えば、４個）の円柱状の可動部４ａと、可動部４ａの下面に設けられた接点部４ｂと、可動部４ａの下端外周から外方に突設された略ドーム状の支持部４ｃとを有している。この可動接点４は、ケース１の開口部１ｃ内に配置されており、この状態のとき、可動部４ａは、スライダー３の駆動部３ｂと対向・当接して配置されている。
【００４６】
そして、この可動接点４は、揺動ノブ２の駆動部（図示せず）の矢印Ｂ方向への移動によって、駆動部（図示せず）がスライダー３を押圧し、よって、このスライダー３を介して可動接点４の各接点部４ｂが矢印Ｂ方向（図１参照）に駆動される。また、この可動接点４は、例えば、２個を１組として２組（合計４個）形成されている。
【００４７】
弾性体７は、例えば、ゴムなどの透明、又は半透明な弾性を有する透光性材料から成り、略平板状に成形加工され、光源６を収納する複数個（例えば、２個）の略矩形・箱形の上壁７ｂを有する収納部７ａと、略矩形の一対の支持部７ｃと、各支持部７ｃ上に配置された、例えば、黒色ゴムなどの不透光性材料からなる一対の遮光部材７ｄと、弾性体７の外周部から後方に延びて設けられたガイド部７ｅとを備えている。また、収納部７ａと遮光部材７ｄとは、弾性体７から外方に突出した状態に形成されている。また、上壁７ｂは、透明な弾性を有する透光性材料にて形成されている。
【００４８】
この弾性体７は、可動接点４と一体に形成されており、このとき、収納部７ａは、１組（２個）の可動接点４に挟まれた状態で配置されている。
【００４９】
そして、弾性体７の一対の遮光部材７ｄの上面は、ケース１の一対の孔１ｇの一方の端部（下端部）に当接して、孔１ｇを塞ぐように配置されている。この状態のとき、収納部７ａの上方には、ケース１の筒状の遮蔽壁１ｆが、収納部７ａを塞ぐような状態に配置される。即ち、収納部７ａは、遮蔽壁１ｆの下方（図４参照）に配置されている。
また、上壁７ｂは、透明な透光性の弾性材料にて形成されている。この弾性体７は、可動接点４を支持（保持）して、可動接点４と一体に形成されており、このとき、収納部７ａは、１組（２個）の可動接点４に挟まれた状態で配置されている。
【００５０】
また、図３に示すように、基板としてのプリント配線基板５は、例えば、平板状のガラス入りフェノール樹脂材料などから成り、一方の表面には、複数組（例えば、４組）の一対の固定接点５ａと、例えば、発光ダイオード（ＬＥＤ）などの光源６が接続される端子５ｂと、固定接点５ａや端子５ｂと接続された所定の回路パターン（図示せず）とを有している。
【００５１】
また、各固定接点５ａは、光源６を挟んだ状態に設けられている。そして、光源６は、プリント配線基板５の端子５ｂに接続され、プリント配線基板５上の図示していない所定の形状の配線パターンに接続・配置されている。
【００５２】
なお、本実施の形態のプリント配線基板は、これに限定されることなく、例えば、平板状の銅板を射出成形などで板状にし、このとき所定の部分だけを露出させた構成の基板であっても良く、この基板に光源を接続しても良い。
【００５３】
また、この光源６は、図示していない電源からの電流によって、点灯され、この点灯によって、前記揺動ノブ２を裏面側から照射して、揺動ノブ２の配置された位置を明るく表示すると共に、第１押圧部２ａと第２押圧部２ｂとに形成された絵記号表示部２ｇを明るく表示するように配置されている。これによって、例えば、夜間など暗い状況においても揺動ノブ２の位置が分かり、よって、揺動ノブ２の操作を容易に行うことが出来る。
【００５４】
そして、また、前記弾性体７には、プリント配線基板５（基板）の外周部が弾性体７のガイド部７ｅによって、ガイドされ、プリント配線基板５が弾性体７に、はめ合わされ、組み合わされており、この状態のとき、プリント配線基板５の光源６は、弾性体７の収納部７ａに収納されており、且つ、一対の固定接点５ａは、可動接点４の接点部４ｂと対向する配置となっている。即ち、可動接点４と固定接点５ａとを接離させることでスイッチが形成されている。
【００５５】
そして、プリント配線基板５が組み合わされた弾性体７は、プリント配線基板５と共に、ケース１内に配置され、この状態のとき、ケース１の孔１ｇを塞ぐように、弾性体７の遮光部材７ｄの上面が、孔１ｇに当接され、また、可動接点４の可動部４ａが、スライダー３の駆動部３ｂに当接されている。
【００５６】
保持基板８は、例えば、フェノール樹脂やエポキシ樹脂などの合成樹脂材料から成り、略平板状に成形加工され、保持基板８の外縁部には、複数個（例えば、４個）孔８ａが形成され、また、一方の表面には、複数個の円柱状の支柱（図示せず）を有している。また、この保持基板８上には、プリント配線基板５が支柱（図示せず）に係止されて、保持基板８上に保持されている。
【００５７】
そして、プリント配線基板５と弾性体７とが保持されたこの保持基板８は、ケース１の開口部１ｃ方向から、ケース１内に配置され、例えば、ネジ９などを保持基板８の孔８ａに挿通した状態で、ケース１と保持基板８とをネジ９などで一体化する。この一体化によって、照光式揺動スイッチユニットが形成される。
【００５８】
次に、この照光式揺動スイッチユニットの動作について説明する。
この照光式揺動スイッチユニットは、揺動ノブ２の第１押圧部２ａ、又は第２押圧部２ｂを下方に押圧すると、揺動ノブ２の駆動部（図示せず）が、スライダー３の駆動部３ｂを介して、可動接点４の可動部４ａを下方（図１の矢印Ｂ方向）に押圧する。可動部４ａが下方に押圧されると可動部４ａの下面に設けられた接点部４ｂがプリント配線基板５の一対の固定接点５ａ、５ａに当接される。この固定接点５ａ、５ａへの当接によって、一対の固定接点５ａ、５ａは、接点部４ｂを介して導通されて照光式揺動スイッチユニットは、オンの状態となる。
【００５９】
また、この照光式揺動スイッチユニットは、図示していない自動車のヘッドライトを点灯すると同時に、照光式揺動スイッチユニットの光源６が点灯し、この光源６からの光が揺動ノブ２の第１押圧部２ａと第２押圧部２ｂとの裏面側に照光されて第１押圧部２ａと第２押圧部２ｂとの絵記号表示部２ｇが光るように構成されている。
【００６０】
この状態のとき、光源６からの光は、孔１ｇを塞ぐ弾性体７の遮光部材７ｄによって、孔１ｇを透過することはない。
また、光源６からの光は、ケース１の遮蔽壁１ｆにて、揺動ノブ２の孔２ｅから漏れること無く、且つ、揺動ノブ２の絵記号表示部２ｇに効率よく集められ、半透明な絵記号表示部２ｇは、充分な光によって照射される。
【００６１】
なお、上述の本発明の実施の形態では、ケース１の突起１ｈは、ケース１の側壁１ｉに設けたが、これに限定されず、突起１ｈが、凹部１ｄの筒状の遮蔽壁１ｆに設けられていても良い。
なお、また、上述の本発明の実施の形態では、弾性体と遮光部材とを一体に設けたが、これに限定されず、弾性体と遮光部材とをそれぞれ別体に設け、適宜手段で取り付けても良い。
【００６２】
なお、上述の本発明の実施の形態では、照光式揺動スイッチユニットについて説明したが、これに限定されず、例えば、照光式プッシュスイッチユニットであっても良く、このとき照光式プッシュスイッチユニットの可動ノブとしてのプッシュノブは上下動するように設けられて構成されている。
【００６３】
【発明の効果】
以上のように、本発明の照光式スイッチユニットは、可動接点を支持する弾性体に光源からの光が、ケースの孔を通過するのを防止するための遮光部材が設けられていることから、光源からの光は、ケースの孔を通過せず、よって、ケースと可動ノブとの隙間から光が漏れることが無くなる。このことから、可動ノブの絵記号表示部の視認性が向上するという効果を奏する。
【００６４】
また、本発明の照光式スイッチユニットは、遮光部材は、孔の一方の端部を塞ぐように前記ケースに当接されていることから、ケースの孔を通過しようとする光源からの光を確実に無くすことが出来ると共に、構造が簡単に出来る。
【００６５】
また、本発明の照光式スイッチユニットは、遮光部材が、不透光性材料から成り、且つ、弾性体が、透光性材料から成り、遮光部材と弾性体とは、一体に設けられていることから、部品点数が削減され、よって、組み立て性が向上するので、安価な照光式スイッチユニットを提供できる。
【００６６】
また、本発明の照光式スイッチユニットは、ケースの凹部の底壁には、該底壁から凹部内に延び、光源からの光を一方向に導く光漏れ防止用の遮蔽壁が設けられていることから、光源からの光は、可動ノブの孔から漏れることは無く、且つ、無駄なく可動ノブの絵記号表示部を照射することになるので、絵記号表示部の視認性が一層向上する。
【００６７】
また、本発明の照光式スイッチユニットは、ケースの突起が、凹部の側壁、又は遮蔽壁に設けられ、可動ノブが、側壁と遮蔽壁との間で突起に軸支されていることから、凹部内に配置された可動ノブの取り付けが容易に出来、且つ、絵記号表示部の視認性が向上する。
【００６８】
また、本発明の照光式スイッチユニットは、弾性体の外周部には、基板（プリント配線基板）をガイドするガイド部が設けられ、該ガイド部に合わせて基板（プリント配線基板）を弾性体に、はめ合わせていることから、弾性体と基板とを容易で確実に係合することが出来るという効果を奏する。
【図面の簡単な説明】
【図１】本発明の実施の形態としての照光式スイッチユニット部を示す分解斜視図である。
【図２】本発明の実施の形態としての照光式揺動スイッチユニットのケースを示す要部斜視図である。
【図３】本発明の実施の形態としての照光式揺動スイッチユニットの可動接点と弾性体とプリント配線基板と光源とを示す分解斜視図である。
【図４】本発明の実施の形態としての照光式揺動スイッチユニットを説明するための要部断面図である。
【図５】自動車のハンドル部を説明するための平面図である。
【図６】従来の照光式スイッチユニット部を示す分解斜視図である。
【図７】従来の照光式揺動スイッチユニットのケースを示す要部斜視図である。
【図８】従来の照光式揺動スイッチユニットの可動接点と弾性体とプリント配線基板と光源とを示す分解斜視図である。
【図９】従来の照光式揺動スイッチユニットを説明するための要部断面図である。
【符号の説明】
１  ケース
１ｄ  凹部
１ｆ  遮蔽壁
１ｇ  孔
１ｈ  突起
１ｉ  側壁
２  揺動ノブ（可動ノブ）
２ａ  第１押圧部
２ｂ  第２押圧部
２ｃ  上面部
２ｄ  側面部
２ｅ  孔
３  スライダー
３ａ  本体部
３ｂ  駆動部
４  可動接点
４ａ  可動部
４ｂ  接点部
５  プリント配線基板（基板）
５ａ  固定接点
５ｂ  端子
６  光源
７  弾性体
７ａ  収納部
７ｂ  上壁
７ｄ  遮蔽部材
７ｅ  ガイド部
【図１】
0003693857.tif 000002
【図２】
0003693857.tif 000003
【図３】
0003693857.tif 000004
【図４】
0003693857.tif 000005
【図５】
0003693857.tif 000006
【図６】
0003693857.tif 000007
【図７】
0003693857.tif 000008
【図８】
0003693857.tif 000009
【図９】
0003693857.tif 000010